(57)【要約】【課題】  印字用紙が正常にＭＦＰの紙搬送系を通過したことを示すフラグを用紙のＲＦＩＤに書き込むことにより、ジャム紙との判別を可能にする。【解決手段】  ＲＦＩＤを矩形用紙の２箇所以上備えたペーパーと、そのＩＤに情報を書き込むｗｒｉｔｅｒ装置と書き込まれた情報を読み取るｒｅａｄｅｒ装置を備えたＭＦＰに係る印刷装置。【選択図】        図１
2006203631.tif 000002
【特許請求の範囲】
【請求項１】
ＲＦＩＤチップが貼付されている矩形のＩＤペーパーにおいて、第一に前記矩形ペーパー上でのＩＤタグの位置を１箇所だけではなく対角線上の隅の２箇所に配置させておき、前記矩形ペーパーを対角線で２つの部分に分割したとき各部分に少なくともひとつ以上のＲＦＩＤが貼付されているように配置する手段と、第二にＭＦＰ内の定着器を通過後に前記のＩＤタグに情報を書き込む手段と、第三に前記２箇所に配置されたＲＦＩＤに対してセキュリティ性の向上のために暗号符号データを２つに分割してそれぞれのＲＦＩＤチップにｋｅｙ情報として書き込む手段と、第四にＭＦＰの紙搬送系において定着器を通った後にＲＦＩＤの書き込み装置を備える手段と、第五にＭＦＰのコピー用の原稿台に前記ＲＦＩＤペーパーを載せた場合にペーパーの対角線上に配置されているＲＦＩＤを読み取る手段とを備えたことを特徴とする印刷装置。
【発明の詳細な説明】
【技術分野】
【０００１】
本発明はＲＦＩＤを用紙の隅２箇所に備えたペーパーと、そのＩＤに情報を書き込むｗｒｉｔｅｒ装置と書き込まれた情報を読み取るｒｅａｄｅｒ装置を備えたＭＦＰ（コピー、ＦＡＸ、プリンタなどの機能を備えたＭｕｌｔｉ  Ｆｕｎｃｔｉｏｎ  Ｐｒｉｎｔｅｒの意）に係る印刷装置に関するものである。
【背景技術】
【０００２】
従来はＲＦＩＤが付加されている用紙をＭＦＰで印字する場合には、その紙搬送路の最後あるいは途中でＲＦＩＤのｗｒｉｔｅｒ装置が配置されており、印字を行った日時、ジョブＩＤ、ユーザー名、ソースファイル名、ＭＦＰのＭＡＣアドレスなどの固有情報を書き込んでいた（例えば、特許文献１参照）。
【０００３】
しかし、前記用紙がＭＦＰの紙搬送路の不特定箇所でジャムなどの障害で停止してしまった場合、または用紙にＲＦＩＤが１箇所しか貼付されていない場合などでは、印字終了後に該当用紙に正常な印字が行われたものなのか否かについての判別が困難になっていた。具体的には、用紙の先端が定着器を通過してはいるものの、用紙の後端が定着器を経過する前の段階で何らかの不具合によりジャムが発生した場合には、紙先端にあるＲＦＩＤに情報は書き込まれているものの印字が途中までしか行われておらず、印字画像が１００％定着されていない可能性があった。
【０００４】
また、前述の印字用紙を後でコピーしようとして原稿台に載せた場合でも、原稿に必要なデータが１００％印字されているか否かについての判別が出来ないという不具合もあった。
【特許文献１】特開２００４−２２３９６６号公報
【発明の開示】
【発明が解決しようとする課題】
【０００５】
前項で説明したように用紙の中で１箇所しかＲＦＩＤが付加されていないＲＦＩＤペーパーをＭＦＰで印字処理を行った場合には以下にあげるような不具合が発生していた。
【０００６】
第１に定着器を用紙が通過した後でＩＤタグに情報を書き込むので、用紙の先端にＩＤタグがある場合には用紙の後端がまだ定着器を通過していなくとも、用紙の紙搬送方向の半分でも定着器を通過していれば前記ＩＤタグに情報が書き込まれてしまうので印字後の原稿がＭＦＰの紙搬送路の途中でジャムが発生したものなのかの判別が不可能であった。
【０００７】
第２にコピーをとる際に原稿台の上に用紙を置いた場合にＲＦＩＤの位置だけではその原稿が縦置き（例：Ａ４）で置かれているのか、横置き（例：Ａ４Ｒ）で置かれているのかの判別は不可能であった。このため、印字用紙のサイズ指定を正しく行わないとコピーする元画像が印字用紙のサイズをはみ出してしまうという不具合が発生していた。
【０００８】
第３には機密性の高い文書の場合では、第三者が入手し元原稿のＩＤタグが付加されている部分のみが切り離された場合などでは原稿に改変が加えられていることが判別できないので、不正にコピーがとられてしまうというセキュリティ上の問題があった。
【０００９】
本発明は以上の点に着目して成されたもので、正常に印字されたものかどうかの判別や用紙の自動選択、またセキュリティの向上を図ることができる印刷装置を提供することを目的とする。
【課題を解決するための手段】
【００１０】
本発明を実現する為にＭＦＰとＭＦＰに使用するＲＦＩＤペーパーについて以下の手段を備えるものとする。第一に印字用紙の対角線上の隅の２箇所にＲＦＩＤを配置する手段、第二にＭＦＰの定着器を通過する時点で紙の先端と紙の後端の両方に配置されているＲＦＩＤタグに情報を書き込むための書き込み装置を備える手段、第三にＭＦＰの給紙口近くにＲＦＩＤタグの情報を読み取るための読み出し装置を備える手段、第四にコピー用の原稿台の上にＲＦＩＤタグの情報を読み取るための読み出し装置を備える手段。
【００１１】
なお、さらに詳細に説明すれば、本発明は下記の構成によって前記課題を解決できた。
【００１２】
（１）ＲＦＩＤチップが貼付されている矩形のＩＤペーパーにおいて、第一に前記矩形ペーパー上でのＩＤタグの位置を１箇所だけではなく対角線上の隅の２箇所に配置させておき、前記矩形ペーパーを対角線で２つの部分に分割したとき各部分に少なくともひとつ以上のＲＦＩＤが貼付されているように配置する手段と、第二にＭＦＰ内の定着器を通過後に前記のＩＤタグに情報を書き込む手段と、第三に前記２箇所に配置されたＲＦＩＤに対してセキュリティ性の向上のために暗号符号データを２つに分割してそれぞれのＲＦＩＤチップにｋｅｙ情報として書き込む手段と、第四にＭＦＰの紙搬送系において定着器を通った後にＲＦＩＤの書き込み装置を備える手段と、第五にＭＦＰのコピー用の原稿台に前記ＲＦＩＤペーパーを載せた場合にペーパーの対角線上に配置されているＲＦＩＤを読み取る手段とを備えたことを特徴とする印刷装置。
【発明の効果】
【００１３】
本発明では、ＲＦＩＤのｒｅａｄｅｒ／ｗｒｉｔｅｒ手段を備えたＭＦＰにおいて矩形用紙の対角線上にある２つの隅にＲＦＩＤを貼付した用紙を用いることにより、以下のような効果がある。第一にコピー時のスキャンにおいて２つのＲＦＩＤを読み取ることにより、該原稿が正常にＭＰＦの定着器を通過して印字されたものなのかを判別可能となる。第二にスキャン原稿台あるいはＦｅｅｄｅｒに原稿が置かれたときに、用紙の縦横の向きが自動的に検出できるのでＭＦＰの給紙カセットに充填されている用紙を自動で選択することが可能となる。第三に機密性の高い文書の場合では、第三者が入手し元原稿のＩＤタグが付加されている部分のみが切り離されたり、２つ以上に分割された場合などでは原稿に改変が加えられていることが判別できるのでセキュリティ性の向上を図ることができる。
【発明を実施するための最良の形態】
【００１４】
以下本発明を実施するための最良の形態を、実施例により詳しく説明する。
【実施例】
【００１５】
図１は本発明に適用されるＲＦＩＤペーパーの例を示したものである。同図においては用紙の対角線上にＲＦＩＤが２個付加されている。このように用紙の隅にＲＦＩＤを添付することによって、元原稿が対角線に沿って２つに分断された場合でも分割した部分に少なくとも１つ以上のＲＦＩＤが残っていることになる。
【００１６】
図２は本発明を適用可能なＭＦＰ装置のプリンタおよびスキャナーを制御するためのコントローラボードの構成を説明する図である。
【００１７】
２０１は前述の複合機のコントローラボードを制御するマイコンであるＣＰＵであり、２０２は電源ＯＦＦ時にコントローラの一部のＬｏｇｉｃを活電（ａｃｔｉｖｅ）状態に保持しておくためのＢａｔｔｅｒｙとそのＢａｃｋｕｐ  Ｌｏｇｉｃである。一般にディジタル複合機においてはその制御が複雑になるために、コントローラを起動あるいは制御させるためのプログラムサイズが膨大になり、電源起動時におけるプログラムのｌｏａｄに係わる時間も長くなっている。
【００１８】
このため、ｓｌｅｅｐ時あるいは電源ＯＦＦ時からの復帰に係るタイムロスを削減する工夫が必要になっている。本実施例においてはａｃｃｅｓｓ時間を削減するために、ＨＤＤに格納された制御プログラムを電源ＯＮ後にＲＡＭ上に転送し、通常動作においてはそのＲＡＭ上でプログラムを動作させる手法を採用している。
【００１９】
２０２のＢａｃｋｕｐ  Ｌｏｇｉｃはプリンタのｓｌｅｅｐ時あるいは電源ＯＦＦ時にａｃｔｉｖｅ状態にしているｍｏｄｕｌｅを制御するためのＬｏｇｉｃである。２０３はプリンタコントローラのＯｐｔｉｏｎ  Ｕｎｉｔ／Ｂｏａｒｄである。２０４は２０３のＯｐｔｉｏｎ  ｕｎｉｔ／ｂｏａｒｄを接続するためのコネクタ、２０５はＯｐｔｉｏｎ  ＢＵＳ  Ｉ／Ｆ  Ｌｏｇｉｃ、２０６は拡張用のＯｐｔｉｏｎ  ＲＡＭ、２０７はその接続用コネクタである。２０８はＲＡＭ  ｒｅａｄ／ｗｒｉｔｅを制御するＬｏｇｉｃ、２１０はＦｏｎｔ，Ｆ／Ｗなどのデータを格納するＲＯＭであり、２１１はその制御Ｌｏｇｉｃである。２１２は複合機のさまざまな設定情報を格納するＥＥＰＲＯＭ，２１３はその制御Ｌｏｇｉｃである。
【００２０】
２１４はＮｅｔｗｏｒｋ  Ｉ／Ｆ  ｃｏｎｔｒｏｌｌｅｒであり、ＮＷ上に接続されたホストコンピュータ２２５，２２６などから印字データを受信する。また本ＮＷ  Ｉ／Ｆは前述のｓｌｅｅｐ時あるいは電源ＯＦＦ時においても電源が供給されてａｃｔｉｖｅ状態となっており、Ｈｏｓｔからのジョブを受け付けた時点でコントローラの電源をＯＮする機能を備える。
【００２１】
２１５，２１６はＨＤＤとそのＩ／Ｆ  Ｌｏｇｉｃ，２１７，２１８はプリンタとそのＩ／Ｆ  Ｌｏｇｉｃ，２１９，２２０はスキャナーとそのＩ／Ｆ  Ｌｏｇｉｃ，２２１，２２２は操作パネルとそのＩ／Ｆ  Ｌｏｇｉｃである。
【００２２】
２２３は本発明で適用されるＲＦＩＤペーパーへ属性情報を書き込むためのＩ／Ｆ  Ｌｏｇｉｃであり、２２４は前記情報を無線で読み出し・書き込みを行うためのユニットである。以上説明した各ｍｏｄｕｌｅを制御するＩ／Ｆ  ＬｏｇｉｃはＡＳＩＣとして１つの集積回路に内蔵されているものとする。
【００２３】
図３は、本発明の一実施形態に関わる画像形成装置としてのカラー複写機の機械的構成を示す模式的正面図である。同図に示す複写機はクラスタプリンティングが可能なプリントシステムを構成する画像形成装置の一つであり、イエロー（Ｙ）、マゼンタ（Ｍ）、シアン（Ｃ）、ブラック（Ｂｋ）の４色のトナーを用いたフルカラーのレーザビーム方式のものである。
【００２４】
図３に示す複写機は、原稿画像の読み取りを行う原稿読み取り部７、プリントデータに基づいてレーザビームを出力しそれを所定のタイミングで感光ドラム上へ照射するレーザ光学系８、感光ドラム上にトナーによる顕像を形成し、それを記録紙に転写するプリント部１０、記録紙に転写されたトナー像を定着させる定着装置５を主要な構成として備え、さらに、記録紙を収納したカセットや記録紙搬送のための構成を備える。原稿読み取り部７は、原稿台に載置された原稿を光学的に走査して読み取り、各色毎の画像信号を得る。この読み取り部７に隣接して操作ディスプレイ３００が設けられ、これを介して操作者によるコマンド入力や、操作者に対する装置状態の通知等が行われる。
【００２５】
プリント部１０は、それぞれＹ，Ｍ，Ｃ，Ｂｋの各色成分画像を形成する、四つのプリントステーションから構成される。それぞれのプリントステーションは、電子写真感光体（以下「感光ドラム」ともいう）１ａ，１ｂ，１ｃ，１ｄを備え、さらにそれぞれの感光ドラムの回転方向に沿って、帯電器３ａ，３ｂ，３ｃ，３ｄ、トナーによる現像装置２ａ，２ｂ，２ｃ，２ｄ、およびクリーナ４ａ，４ｂ，４ｃ，４ｄを備える。これにより、レーザ光学系８によって各感光ドラム１ａ，１ｂ，１ｃ，１ｄに各色成分画像の潜像が形成され、次に対応するトナーにより現像が行なわれる。
【００２６】
以上のプリント部１０の下方には、これらに沿って転写ベルト３１が設けられる。転写ベルト３１は、トレイから給紙される、記録媒体としての記録紙を各感光ドラム１ａ，１ｂ，１ｃ，１ｄの順に搬送する。この搬送に伴い、各プリントステーションにおいて感光ドラム１ａ，１ｂ，１ｃ，１ｄ上に形成された各色成分のトナー像は、帯電器３ａ，３ｂ，３ｃ，３ｄによって、転写ベルト３１上の記録紙に順次転写されてフルカラーの画像が形成される。この転写工程の後、記録紙は転写ベルト３１から分離されて搬送ベルト６２により定着装置５に搬送される。
【００２７】
図３に示すように、定着装置５は、概略、回転自在に支持された定着ローラ５１と、この定着ローラ５１に圧接しながら回転する加圧ローラ５２と、離型剤を供給、塗布する離型剤塗布装置５３と、ローラクリーニング装置とを備える。定着ローラ５１および加圧ローラ５２の内側にはハロゲンランプなどのヒータがそれぞれ配設されている。定着ローラ５１、加圧ローラ５２にはそれぞれ不図示のサーミスタが接触されており、不図示の温度調節装置を介してそれぞれのヒータへ印加する電圧を制御することにより定着ローラ５１および加圧ローラ５２の表面温度調節を行っている。
【００２８】
加圧ローラ５２の加圧力、および定着ローラの表面温度は、定着制御機構６０によって変化させることができる。離型剤塗布装置５３は定着ローラ５１の表面に接触して離型材としてのシリコンオイルを塗布し、定着ローラ５１と加圧ローラ５２との間を記録紙が通過する際にそのトナーが定着ローラ５１の表面に付着しないようにしている。
【００２９】
塗布量制御装置６３は、離型剤塗布装置５３が定着ローラ５１の表面に塗布するこのシリコンオイルの塗布量を制御する。速度制御装置６４は、定着ローラ５１と加圧ローラ５２とを駆動する不図示の駆動モータの回転速度を制御することにより、記録紙の搬送速度、すなわち、記録紙の表裏両面を加圧・加熱する定着ローラ５１と加圧ローラ５２との回転速度を制御する。以上の定着装置によって、記録紙表面の未定着トナーは溶融して定着され、定着したフルカラー画像が形成される。
【００３０】
本実施形態の複写機は、複数の給紙部、すなわち給紙カセット６１ｂ，６１ｃ，６１ｄおよび図中矢印Ｒ６１ａ方向に引き出し可能な手差し給紙トレイ６１ａ、さらに大容量ペーパーデッキ６１ｅを備え、記録紙のグロスについて、高、中、低のいずれかの記録紙が装填されている。
【００３１】
７０はＲＦＩＤを貼付してある用紙に対して情報を書き込んだり読み出したりするためのＲＦＩＤ  ｒｅａｄｅｒ／ｗｒｉｔｅｒであり、紙搬送系のパスにおいて前述の定着器を通った後に配置されている。７１はスキャン原稿台に載せらた用紙のＲＦＩＤを読み取るためのＲＦＩＤ  ｒｅａｄである。
【００３２】
図４はＭＦＰにおいて元原稿を印字したときにＲＦＩＤ付のペーパーへ情報が書き込まれるときのフローを示したものである。ホストコンピュータから受信したＰＤＬ（ページ記述言語）などの印字データを図２に示したプリンタコントローラが描画データへ展開した後にプリンタエンジンへ印字スタートの起動をかけてｖｉｄｅｏ信号として出力する。プリンタエンジンはコントローラからｖｉｄｅｏ信号を受信するレーザ光学系、紙搬送系、転写系、定着器などの一連の印字プロセス機構を駆動させて印字を行う。ＭＦＰ内部にある紙搬送系のセンサーは用紙の後端が定着器を通過したことを検知すると、ＲＦＩＤ  ｗｒｉｔｅｒ（書き込み装置）が用紙の対角線上の隅に添付されている２つのＲＦＩＤへ先程処理をした印字ジョブの属性データを書き込む。属性情報としては印字を行った日時、ジョブＩＤ、ユーザー名、ソースファイル名、ＭＦＰのＭＡＣアドレスなどの固有情報があげられる。
【００３３】
図５に前記属性データのデータ形式を示す。ここではＲＦＩＤのタグが図１のように１枚の用紙に２個貼付されている場合を想定している。
【００３４】
同図において上段が１個目のタグに書き込まれている情報であり、下段が２個目のタグに書き込まれている情報である。Ｔａｇ０＿ｋｅｙ，Ｔａｇ１＿ｋｅｙとはお互いが暗号キーになっており、２つのＲＦＩＤタグが読み出されないとＲＦＩＤに格納されている情報が読み出されないばかりでなく、スキャナーで複製を取ろうとしてもＲＦＩＤ認識機能のついているＭＦＰにおいてはスキャンを出来ないようにするなどの偽造防止、セキュリティの機能を有している。
【００３５】
以上述べたように正常に印字処理が行われた場合では、ＲＦＩＤ付のペーパーの２箇所へ属性情報が書き込まれ、印字した用紙を無断で複製しようとする場合にはこの２つのＩＤがお互いに鍵の役割をして、２つ共に読み取れないとスキャン、コピーなどの処理ができないようにプロテクトがかけられることになる。
【００３６】
図６は印字出力された用紙を再利用してスキャン、コピーをしようとしたときの処理の流れを示したものである。スキャナー用のＦｅｅｄｅｒに原稿がセットされて操作部にあるコピースタートボタンが押されると、Ｆｅｅｄｅｒが１枚づつ原稿をスキャンして画像を読み取ると同時にＦｅｅｄｅｒ近くに設けられたｒｅａｄｅｒによって原稿に貼付されているＲＦＩＤの個数とその内容を読み取る。前述のように２つが対になっているときに初めて書き込まれている情報が有効になるＲＦＩＤが存在している用紙を使用する場合には以下のような処理を行う。
【００３７】
まず、片方のＲＦＩＤみが読み出された場合には、原稿の必要な情報が一部失われており不正なコピーが行われていると判断し、プリンタコントローラのメモリ（ＤＲＡＭ）に一時格納されたスキャンデータを消去して複製をとることを許可しない。一方でＲＦＩＤが２つ読み出されて互いのｋｅｙデータが合致することが認識されると、スキャンした画像データをプリンタコントローラのメモリ（ＤＲＡＭ）に一時格納した後でＨＤへ転送する。
【００３８】
以上のような一連の処理をＦｅｅｄｅｒに置かれた原稿の最終枚数まで行った後で、ＨＤから画像データを読み出してＭＦＰエンジンへｖｉｄｅｏ信号として出力する。
【００３９】
図７はＲＦＩＤペーパーに内蔵されているＲＦＩＤのメモリとＲＦＩＤ  ｒｅａｄｅｒ／ｗｒｉｔｅｒの制御部の構成を示したものである。
【００４０】
［その他の実施例］
ＲＦＩＤ貼付ペーパーは前記実施例のように矩形用紙の２箇所のみでなく、図８に示すように各隅の４箇所に設けることも可能である。２箇所のみの場合と比較して矩形用紙の各隅にＲＦＩＤのタグが貼付されているので、元原稿の一部が切り離された場合により精度良く認識することが可能となる。
【図面の簡単な説明】
【００４１】
【図１】本発明に係るＲＦＩＤ付ペーパーを示す図である。
【図２】本発明の実施例に係るＭＦＰの制御部の構成を示す図である。
【図３】本発明に係るＭＦＰの装置構成を示す図である。
【図４】プリント時におけるＲＦＩＤのデータ書き込みのフローを示す図である。
【図５】本発明に係るＲＦＩＤのデータ形式を示す図である。
【図６】コピー時におけるＲＦＩＤのデータ書き込みのフローを示す図である。
【図７】ＲＦＩＤペーパーとＭＦＰのＲＦＩＤ  ｒｅａｄｅｒ／ｗｒｉｔｅｒの構成を示す図である。
【図８】本発明のその他の実施例に係るＲＦＩＤ付ペーパーを示す図である。
【符号の説明】
【００４２】
２０１  ＣＰＵ
２０２  Ｂａｔｔｅｒｙ  ＆  Ｂａｃｋｕｐ  Ｌｏｇｉｃ
２０３  Ｏｐｔｉｏｎ  Ｕｎｉｔ／Ｂｏａｒｄ
２０４  Ｏｐｔｉｏｎ  ｃｏｎｎｅｃｔｅｒ
２０５  Ｏｐｔｉｏｎ  Ｂｕｓ  Ｉ／Ｆ
２０６  Ｏｐｔｉｏｎ  ＲＡＭ
２０７  ＤＲＡＭ
２０８  ＲＡＭ  ｃｏｎｔｒｏｌｌｅｒ
２０９  描画Ｌｏｇｉｃ
２１０  ＲＯＭ
２１１  ＲＯＭ  ｃｏｎｔｒｏｌｌｅｒ
２１２  ＥＥＰＲＯＭ
２１３  ＥＥＰＲＯＭ  Ｉ／Ｆ  ｌｏｇｉｃ
２１４  Ｎｅｔｗｏｒｋ  Ｉ／Ｆ  ｃｏｎｔｒｏｌｌｅｒ
２１５  ＨＤＤ  Ｉ／Ｆ  Ｌｏｇｉｃ
２１６  ＨＤＤ
２１７  Ｐｒｉｎｔｅｒ  Ｉ／Ｆ  ｌｏｇｉｃ
２１８  Ｐｒｉｎｔｅｒ  Ｅｎｇｉｎｅ
２１９  Ｓｃａｎｎｅｒ  Ｉ／Ｆ  Ｌｏｇｉｃ
２２０  Ｓｃａｎｎｅｒ
２２１  操作Ｐａｎｅｌ  Ｉ／Ｆ  Ｌｏｇｉｃ
２２２  操作Ｐａｎｅｌ
２２３  ＲＦＩＤ  ｒ／ｗ  ｌｏｇｉｃ
２２４  ＲＦＩＤ  ｒｅａｄｅｒ，  ｗｒｉｔｅｒ
２２５  ＮＷ接続されたＰＣ（その１）
２２６  ＮＷ接続されたＰＣ（その２）
【図１】
2006203631.tif 000003
【図２】
2006203631.tif 000004
【図３】
2006203631.tif 000005
【図４】
2006203631.tif 000006
【図５】
2006203631.tif 000007
【図６】
2006203631.tif 000008
【図７】
2006203631.tif 000009
【図８】
2006203631.tif 000010